(57)【特許請求の範囲】
【請求項１】
都道府県又は州毎に分かれている複数の所定地域の地図データを配信する配信装置と、
前記配信装置が配信する前記地図データを受信する受信端末と、
から構成されるデータ配信システムであって、
前記配信装置は、
前記複数の所定地域の地図データを格納する格納手段と、
前記格納手段に格納された前記地図データを、デジタル通信衛星を介して、常に、前記所定地域毎に異なる周波数の電波で送信する送信手段と、を備え、
前記受信端末は、
前記所定地域を示す情報と、前記所定地域の地図データを配信する電波の前記周波数を示す情報と、を対応づけて予め記憶する記憶手段と、
前記受信端末のユーザから、前記所定地域毎に分けて配信される地図データを選択するための地域選択画面に表示される前記複数の所定地域の中からいずれか一つの所定地域を選択する指示入力を受け付けて、当該受け付けた指示入力が示す所定地域に対応づけられている地図データを配信する電波の前記周波数を、前記記憶手段から取得する取得手段と、
前記取得手段が取得した周波数の電波により供給される前記地図データを前記配信装置から受信する受信手段と、
前記受信手段が受信した地図データが示す地図を表示する表示手段と、
を備えることを特徴とするデータ配信システム。
【請求項２】
前記受信端末は、前記受信端末の現在位置の座標を測定する測定手段をさらに備え、
前記記憶手段は、前記所定地域の位置を表す座標と、前記所定地域の地図データが配信される前記周波数と、を対応づけて予めさらに記憶し、
前記取得手段は、前記測定された現在位置の座標に対応づけられている、前記所定地域の地図データを配信する周波数を、前記記憶手段からさらに取得する、
ことを特徴とする請求項１に記載のデータ配信システム。
【請求項３】
前記受信端末は、車輌に搭載され、
前記表示手段は、前記地図データが示す地図と、前記現在位置を示す情報と、を重ねて表示する、
ことを特徴とする請求項２に記載のデータ配信システム。
【請求項４】
前記格納手段は、前記所定地域に対応づけて広告データをさらに記憶し、
前記送信手段は、前記所定地域に対応する広告データをさらに送信し、
前記受信手段は、前記送信手段が送信する前記広告データをさらに受信し、
前記表示手段は、前記地図と共に、前記広告データが示す広告を表示する、
ことを特徴とする請求項１乃至３の何れか１項に記載のデータ配信システム。
【請求項５】
都道府県又は州毎に分かれている複数の所定地域を示す情報と、当該所定地域の地図データを配信する電波の周波数を示す情報とを対応づけて予め記憶する記憶手段と、
前記所定地域毎に分けてデジタル通信衛星を介して常に配信される地図データを選択するための地域選択画面に表示される前記複数の所定地域の中からいずれか一つの所定地域を選択する指示入力をユーザから受け付けて、当該受け付けた指示入力が示す所定地域に対応づけられている地図データを配信する電波の周波数を、前記記憶手段から取得する取得手段と、
前記取得手段が取得した前記周波数の電波により供給される前記地図データを配信装置から受信する受信手段と、
前記受信手段が受信した前記地図データが示す地図を表示する表示手段と、
を備えることを特徴とする受信端末。
【請求項６】
記憶手段を有する装置にて実行されるデータ配信方法であって、
前記記憶手段は、都道府県又は州毎に分かれている複数の所定地域を示す情報と、当該所定地域の地図データを配信する電波の周波数を示す情報とを対応づけて予め記憶し、
前記所定地域毎に分けてデジタル通信衛星を介して常に配信される地図データを選択するための地域選択画面に表示される前記複数の所定地域の中からいずれか一つの所定地域を選択する指示入力をユーザから受け付けて、当該受け付けた指示入力が示す所定地域に対応づけられている地図データを配信する電波の周波数を、前記記憶手段から取得する取得ステップと、
前記取得ステップにより取得された前記周波数の電波によって供給される前記地図データを配信装置から受信する受信ステップと、
前記受信ステップにより受信された前記地図データが示す地図を表示する表示ステップと、
を備えることを特徴とするデータ配信方法。
【請求項７】
コンピュータを、
都道府県又は州毎に分かれている複数の所定地域を示す情報と、当該所定地域の地図データを配信する電波の周波数を示す情報とを対応づけて予め記憶する記憶手段、
前記所定地域毎に分けてデジタル通信衛星を介して常に配信される地図データを選択するための地域選択画面に表示される前記複数の所定地域の中からいずれか一つの所定地域を選択する指示入力をユーザから受け付けて、当該受け付けた指示入力が示す所定地域に対応づけられている地図データを配信する電波の周波数を、前記記憶手段から取得する取得手段、
前記取得手段が取得した前記周波数の電波により供給される前記地図データを受信する受信手段、
前記受信手段が受信した前記地図データが示す地図を表示する表示手段、
として機能させるためのプログラム。
【発明の詳細な説明】
【０００１】
【発明の属する技術分野】
本発明は、データ配信システム、受信端末、データ配信方法、及び、プログラムに関する。
【０００２】
【従来の技術】
ナビゲーションシステムで使用される地図データは、ＣＤ−ＲＯＭ、ＤＶＤ−ＲＯＭ、又は、ハードディスク等の記録媒体に記録されている。
また、以上のような記録媒体を利用しないシステムとして、ユーザが携帯電話回線などの公衆無線回線を利用して地図データを要求し、サービス局が要求された地図データをデジタル通信衛星放送波を利用して供給するシステムがある。
【０００３】
【発明が解決しようとする課題】
上記したようにＣＤ−ＲＯＭ及びＤＶＤ−ＲＯＭ等に地図データが記録されている場合、最新の地図データを入手するためには、ＣＤ−ＲＯＭ及びＤＶＤ−ＲＯＭ等を買い換えなければならない。
【０００４】
また、ハードディスク等に地図データが記録されている場合、最新の地図データを入手するためには、ハードディスクを買い換えたり、ハードディスクに記録されている地図データを書き換えるなどしなければならない。
【０００５】
以上のように、地図データが記録媒体に記録されている場合は、新たな記録媒体を購入するための金銭的な負担がユーザにかかったり、記録されている地図データを書き換えるための手間がユーザにかかる。
【０００６】
また、上記したように、公衆回線を利用する場合は通信料金が発生する。このため、公衆回線を利用したとしても、ユーザにかかる金銭的な負担を回避することはできない。
【０００７】
従って、本発明は、低いコストでデータを配信するためのデータ配信システム、受信端末、データ配信方法、及び、プログラムを提供することを目的とする。
【０００８】
【課題を解決するための手段】
上記目的を達成するために、本発明の第１の観点にかかるデータ配信システムは、
都道府県又は州毎に分かれている複数の所定地域の地図データを配信する配信装置と、
前記配信装置が配信する前記地図データを受信する受信端末と、
から構成されるデータ配信システムであって、
前記配信装置は、
前記複数の所定地域の地図データを格納する格納手段と、
前記格納手段に格納された前記地図データを、デジタル通信衛星を介して、常に、前記所定地域毎に異なる周波数の電波で送信する送信手段と、を備え、
前記受信端末は、
前記所定地域を示す情報と、前記所定地域の地図データを配信する電波の前記周波数を示す情報と、を対応づけて予め記憶する記憶手段と、
前記受信端末のユーザから、前記所定地域毎に分けて配信される地図データを選択するための地域選択画面に表示される前記複数の所定地域の中からいずれか一つの所定地域を選択する指示入力を受け付けて、当該受け付けた指示入力が示す所定地域に対応づけられている地図データを配信する電波の前記周波数を、前記記憶手段から取得する取得手段と、
前記取得手段が取得した周波数の電波により供給される前記地図データを前記配信装置から受信する受信手段と、
前記受信手段が受信した地図データが示す地図を表示する表示手段と、
を備えることを特徴とする。
【００１２】
前記受信端末は、前記受信端末の現在位置の座標を測定する測定手段をさらに備え、
前記記憶手段は、前記所定地域の位置を表す座標と、前記所定地域の地図データが配信される前記周波数と、を対応づけて予めさらに記憶し、
前記取得手段は、前記測定された現在位置の座標に対応づけられている、前記所定地域の地図データを配信する周波数を、前記記憶手段からさらに取得してもよい。
【００１３】
前記受信端末は、車輌に搭載され、前記表示手段は、前記地図データが示す地図と、前記現在位置を示す情報と、を重ねて表示してもよい。
【００１５】
前記格納手段は、前記所定地域に対応づけて広告データをさらに記憶し、
前記送信手段は、前記所定地域に対応する広告データをさらに送信し、
前記受信手段は、前記送信手段が送信する前記広告データをさらに受信し、
前記表示手段は、前記地図と共に、前記広告データが示す広告を表示してもよい。
【００１９】
本発明の第２の観点にかかる受信端末は、
都道府県又は州毎に分かれている複数の所定地域を示す情報と、当該所定地域の地図データを配信する電波の周波数を示す情報とを対応づけて予め記憶する記憶手段と、
前記所定地域毎に分けてデジタル通信衛星を介して常に配信される地図データを選択するための地域選択画面に表示される前記複数の所定地域の中からいずれか一つの所定地域を選択する指示入力をユーザから受け付けて、当該受け付けた指示入力が示す所定地域に対応づけられている地図データを配信する電波の周波数を、前記記憶手段から取得する取得手段と、
前記取得手段が取得した前記周波数の電波により供給される前記地図データを配信装置から受信する受信手段と、
前記受信手段が受信した前記地図データが示す地図を表示する表示手段と、
を備えることを特徴とする。
【００２０】
本発明の第３の観点にかかるデータ配信方法は、
記憶手段を有する装置にて実行されるデータ配信方法であって、
前記記憶手段は、都道府県又は州毎に分かれている複数の所定地域を示す情報と、当該所定地域の地図データを配信する電波の周波数を示す情報とを対応づけて予め記憶し、
前記所定地域毎に分けてデジタル通信衛星を介して常に配信される地図データを選択するための地域選択画面に表示される前記複数の所定地域の中からいずれか一つの所定地域を選択する指示入力をユーザから受け付けて、当該受け付けた指示入力が示す所定地域に対応づけられている地図データを配信する電波の周波数を、前記記憶手段から取得する取得ステップと、
前記取得ステップにより取得された前記周波数の電波によって供給される前記地図データを配信装置から受信する受信ステップと、
前記受信ステップにより受信された前記地図データが示す地図を表示する表示ステップと、
を備えることを特徴とする。
【００２２】
本発明の第４の観点にかかるプログラムは、
コンピュータを、
都道府県又は州毎に分かれている複数の所定地域を示す情報と、当該所定地域の地図データを配信する電波の周波数を示す情報とを対応づけて予め記憶する記憶手段、
前記所定地域毎に分けてデジタル通信衛星を介して常に配信される地図データを選択するための地域選択画面に表示される前記複数の所定地域の中からいずれか一つの所定地域を選択する指示入力をユーザから受け付けて、当該受け付けた指示入力が示す所定地域に対応づけられている地図データを配信する電波の周波数を、前記記憶手段から取得する取得手段、
前記取得手段が取得した前記周波数の電波により供給される前記地図データを受信する受信手段、
前記受信手段が受信した前記地図データが示す地図を表示する表示手段、
として機能させる。
【００２３】
【発明の実施の形態】
次に、本発明の実施の形態にかかるデータ配信システムについて図面を参照して説明する。
【００２４】
本発明の実施の形態にかかるデータ配信システムは、図１に示すように、データ通信サービス局１と、デジタル通信衛星２と、車載用装置３と、から構成される。
【００２５】
データ通信サービス局１は、ナビゲーション等に使用される地図データを、デジタル通信衛星２を介して配信する。データ通信サービス局１は、図１に示すように、データベース１１と、送信装置１２と、を備える。
【００２６】
データベース１１は、ナビゲーション等に使用される地図データを格納する。
データベース１１の地図データは、データ通信サービス局１において定期的に更新され、常に最新の地図データであるように維持されている。
【００２７】
なお、地図データは、地域（都道府県又は州など）毎に分けてデータベース１１に格納されてもよい。このようにすると、地図データを更新する際、変更があった地域の地図データのみを更新すればよいので、地図データの更新を短時間で行うことができる。
【００２８】
送信装置１２は、発振器及び変調回路等を備える。送信装置１２は、データベース１１が格納している地図データを、常時、デジタル通信衛星放送波を使用して配信する。具体的には、送信装置１２は、地図データを地域毎に異なる周波数（チャンネル）の放送波を使用して配信する。このように、地域毎に使用する周波数を変えることにより、１つの周波数帯で配信するデータ量を少なくすることができる。
【００２９】
車載用装置３は、車輌に搭載されて使用される。車載用装置３は、複数の動作モード、例えばナビゲーションモードと地図表示モード、を有する。
ナビゲーションモードにおいて、車載用装置３は、車輌の現在位置を含む地域の地図データが配信されているチャンネルのデジタル通信衛星放送波を受信する。そして、車載用装置３は、車輌の現在位置を含む地域の地図を、車輌の現在位置と共に表示する。
【００３０】
また、地図表示モードにおいて、車載用装置３は、車載用装置３のユーザが選択した地域の地図データが配信されているチャンネルのデジタル通信衛星放送波を受信する。そして、車載用装置３は、ユーザが選択した地域の地図を表示する。
【００３１】
車載用装置３は、図１に示すように、受信装置３１と、測位装置３２と、表示装置３３と、制御装置３４と、から構成される。
受信装置３１は、チューナ及び復調回路等を備える。受信装置３１は、制御装置３４の制御に従って、データ通信サービス局１が送信するデジタル通信衛星放送波の内、所定周波数（チャンネル）のデジタル通信衛星放送波を受信する。言い換えると、受信装置３１は、制御装置３４の制御に従って、所定地域の地図データが配信されている周波数（チャンネル）を選択する。そして、受信装置３１は、選択したデジタル通信衛星放送波を復調して所定地域の地図データを復元し、制御装置３４に出力する。
【００３２】
測位装置３２は、ＧＰＳ（Global Positioning System）端末等を備え、自己が搭載されている車輌の現在位置（現在座標）を求める。そして、測位装置３２は、求めた現在位置を示す位置データを制御装置３４に出力する。
【００３３】
表示装置３３は、液晶パネル等を備え、制御装置３４の制御に従って、様々な画面を表示する。例えば、表示装置３３は、地域選択画面、地図表示画面、及び、ナビゲーション画面等を表示する。
【００３４】
地域選択画面は、地域毎に分けて配信される地図データを選択するための画面であり、例えば図２（ａ）に示すように、地図データが配信されている地域のボタンを表示する。
【００３５】
地図表示画面は、例えば図２（ｂ）に示すように、車載用装置３のユーザが地域選択画面上で選択した地域の地図を示す。
ナビゲーション画面は、例えば図２（ｃ）に示すように、車輌の現在位置とその周辺地図を示す。
【００３６】
また、表示装置３３は、タッチパネル及び／又は操作ボタン等を備える。車載用装置３のユーザは、表示装置３３の画面に触れたり、操作ボタンを押下することにより、車載用装置３の動作モードを切り替えたり、地域選択画面上で希望する地域を選択することができる。表示装置３３は、ユーザの操作に応答して、動作モードの設定を指示するモード設定信号、及び、ユーザが選択した地域を示す地域選択信号などを制御装置３４に出力する。
【００３７】
制御装置３４は、ＣＰＵ（Central Processing Unit）、ＲＡＭ（Random Access Memory）、及び、ＲＯＭ（Read Only Memory）等から構成される。制御装置３４は、予め提供されたプログラム及びデータを記憶している。
【００３８】
具体的には、制御装置３４は、ナビゲーション動作を行うためのナビゲーションプログラム、ユーザが選択する地域の地図を表示するための地図表示プログラム、座標−Ｃｈ対応表、及び、地域−Ｃｈ対応表などを予め格納している。
【００３９】
座標−Ｃｈ対応表は、図３（ａ）に示すように、各地域の地図データが配信されるチャンネルと、各地域の座標（境界座標）と、を対応づける。
地域−Ｃｈ対応表は、図３（ｂ）に示すように、各地域の地図データが配信されるチャンネルと、各地域と、を対応づける。
【００４０】
制御装置３４は、ナビゲーションプログラムに従って車載用装置３の動作を制御し、車載用装置３をナビゲーションモードに設定する。また、制御装置３４は、地図表示プログラムに従って車載用装置３の動作を制御し、車載用装置３を地図表示モードに設定する。なお、制御装置３４の詳しい動作については後述する。
【００４１】
次に、データ配信システムの動作について説明する。
（ナビゲーション動作）
始めに、ナビゲーション動作について説明する。
【００４２】
データ通信サービス局１の送信装置１２は、データベース１１が格納している地図データを、常時、地域毎に異なる周波数（チャンネル）のデジタル通信衛星放送波を使用して配信している。
【００４３】
車載用装置３のユーザは、表示装置３３が備えるタッチパネル及び／又は操作ボタン等を操作し、車載用装置３をナビゲーションモードに設定する。
具体的には、表示装置３３は、ユーザの操作に応答して、車載用装置３をナビゲーションモードに設定することを指示するモード設定信号を制御装置３４に出力する。制御装置３４は、表示装置３３から供給されるモード設定信号に応答して、予め記憶しているナビゲーションプログラムに従って動作する。これにより、車載用装置３はナビゲーションモードに設定される。
【００４４】
図４は、ナビゲーションモードに設定された車載用装置３が行う動作を示すフローチャートである。
測位装置３２は、自己が搭載されている車輌の現在位置（現在座標）を求め、求めた現在位置を示す位置データを制御装置３４に出力する（ステップＳ１０１）。
【００４５】
制御装置３４は、測位装置３２から供給される位置データに応答して、予め記憶している座標−Ｃｈ対応表を参照し、現在位置を含む地域の地図データを配信している周波数（チャンネル）を特定する（ステップＳ１０２）。
【００４６】
制御装置３４は、受信装置３１を制御し、特定した周波数のデジタル通信衛星放送波を受信装置３１に受信させる。
受信装置３１は、制御装置３４の制御に従って、デジタル通信衛星２を介してデータ通信サービス局１から供給されるデジタル通信衛星放送波の内、制御装置３４が特定した周波数のデジタル通信衛星放送波を受信する（ステップＳ１０３）。
【００４７】
そして、受信装置３１は、受信したデジタル通信衛星放送波を復調することにより、車輌の現在位置周辺の地図データを復元し、復元した地図データを制御装置３４に出力する（ステップＳ１０４）。
【００４８】
制御装置３４は、受信装置３１から供給される地図データと、測位装置３２から供給された位置データと、を用いて、ナビゲーション画面のデータを生成し、表示装置３３に出力する（ステップＳ１０５）。
【００４９】
表示装置３３は、制御装置３４から供給されるデータに従って、図２（ｃ）に示したようなナビゲーション画面を表示する（ステップＳ１０６）。
車載用装置３が行う以上の動作は、ユーザが表示装置３３が備えるタッチパネル及び／又は操作ボタン等を操作して、ナビゲーションモードの終了を指示するまで繰り返し行われる。
【００５０】
以上のように、デジタル通信衛星放送波で一方的に供給される地図データの中から必要な地図データを選択するので、従来のような公衆回線を利用する必要がない。これにより、公衆回線の利用料金が発生せず、利用者にかかる金銭的負担が小さい。
【００５１】
また、データ通信サービス局１において地図データの更新が行われるため、ユーザは、データの更新を行うことなく、常に最新の地図データを得ることができる。
また、車載用装置３は、従来のような、地図データを記録した記録媒体を必要としない。このため、車載用装置３を従来のものよりも小型化することができる。
【００５２】
（地図表示動作）
次に、ユーザが選択する地域の地図をデータ配信システムが表示する動作について説明する。
【００５３】
上記と同様に、データ通信サービス局１の送信装置１２は、データベース１１が格納している地図データを、常時、地域毎に異なる周波数（チャンネル）のデジタル通信衛星放送波を使用して配信している。
【００５４】
車載用装置３のユーザは、表示装置３３が備えるタッチパネル及び／又は操作ボタン等を操作し、車載用装置３を地図表示モードに設定する。
具体的には、表示装置３３は、ユーザの操作に応答して、車載用装置３を地図表示モードに設定することを指示するモード設定信号を制御装置３４に出力する。制御装置３４は、表示装置３３から供給されるモード設定信号に応答して、予め記憶している地図表示プログラムに従って動作する。これにより、車載用装置３は地図表示モードに設定される。
【００５５】
図５は、地図表示モードに設定された車載用装置３が行う動作を示すフローチャートである。
始めに、制御装置３４は、地図表示プログラムに従って、表示する地域（地図）を選択するための地域選択画面のデータを生成し、生成した地域選択画面のデータを表示装置３３に出力する（ステップＳ２０１）。
【００５６】
表示装置３３は、制御装置３４から供給されるデータに従って、図２（ａ）に示したような地域選択画面を表示する（ステップＳ２０２）。
ユーザは、表示装置３３が備えるタッチパネル及び／又は操作ボタン等を操作し、希望する地域を選択する。
【００５７】
表示装置３３は、ユーザの操作に応答して、ユーザが選択した地域を示す地域選択信号を制御装置３４に出力する。
制御装置３４は、表示装置３３から供給される地域選択信号に応答して、予め記憶している地域−Ｃｈ対応表を参照し、供給された地域選択信号が示す地域の地図データが配信されている周波数（チャンネル）を特定する（ステップＳ２０３）。
【００５８】
制御装置３４は、受信装置３１を制御し、特定した周波数のデジタル通信衛星放送波を受信装置３１に受信させる。
受信装置３１は、制御装置３４の制御に従って、デジタル通信衛星２を介してデータ通信サービス局１から供給されるデジタル通信衛星放送波の内、制御装置３４が特定した周波数のデジタル通信衛星放送波を受信する（ステップＳ２０４）。
【００５９】
そして、受信装置３１は、受信したデジタル通信衛星放送波を復調することにより、ユーザが選択した地域の地図データを復元し、復元した地図データを制御装置３４に出力する（ステップＳ２０５）。
【００６０】
制御装置３４は、受信装置３１から供給される地図データを用いて、地図を表示する地図表示画面のデータを生成し、表示装置３３に出力する（ステップＳ２０６）。
【００６１】
表示装置３３は、制御装置３４から供給されるデータに従って、ユーザが選択した地域の地図を地図表示画面上に表示する（ステップＳ２０７）。これにより、ユーザは、希望する地域の地図を見ることができる。
【００６２】
以上のように、地図データはデジタル通信衛星放送波で一方的に供給されるので、従来のような公衆回線を利用する必要がない。これにより、公衆回線の利用料金が発生せず、利用者にかかる金銭的負担が小さい。
【００６３】
また、異なる地域の地図データは異なる周波数のデジタル通信衛星放送波で供給されるので、利用者は、まるで聞きたいラジオ局を選択するように、簡単に、希望する地域の地図データを選択することができる。
【００６４】
また、データ通信サービス局１において地図データの更新が行われるため、ユーザは、データの更新を行うことなく、常に最新の地図データを得ることができる。
また、車載用装置３は、従来のような、地図データを記録した記録媒体を必要としない。このため、車載用装置３を従来のものよりも小型化することができる。
【００６５】
なお、データベース１１は、各地域の道路情報（渋滞、交通規制、工事、及び、事故などの情報）を、各地域の地図データと共に格納してもよい。また、送信装置１２は、各地域の道路情報を、各地域の地図データと共に、デジタル通信衛星放送波で一方的に常時配信してもよい。そして、受信装置３１は、地図データと共に道路情報を復元し、表示装置３３は、地図と共に道路情報を表示してもよい。
【００６６】
また、データベース１１は、様々な広告のデータを格納し、送信装置１２は、様々な広告データを所定周波数のデジタル通信衛星放送波で一方的に常時配信してもよい。そして、受信装置３１は、所定周波数のデジタル通信衛星放送波を所定のタイミングで受信し、広告データを復元してもよい。また、表示装置３３は、例えば図６に示すように、地図と共に様々な広告を表示してもよい。
【００６７】
また、送信装置１２は、様々な広告データを配信する際、様々な広告データを、広告が関連する地域毎に分類し、地域毎に異なる周波数のデジタル通信衛星放送波で一方的に常時配信してもよい。この場合、受信装置３１は、復元する地図データと同一地域の広告データを復元し、表示装置３３は、地図と共に広告を表示してもよい。
以上のようにして広告データを配信することにより、広告収入を得ることができ、車載用装置３の販売価格を抑えることができる。
【００６８】
また、データを地域毎に異なるチャンネルで配信することができれば、デジタル通信衛星２を介さなくてもよい。言い換えると、デジタル通信衛星放送波を使用しなくてもよい。例えば、地上放送波又はインターネット等を介して、データを配信してもよい。
【００６９】
また、車載用装置３は、車輌に搭載されなくてもよい。例えば、携帯端末のように、ユーザが携帯して持ち運んでもよい。
【００７０】
また、本発明の装置は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ、ＤＶＤ、又は、半導体メモリ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【００７１】
【発明の効果】
以上の説明から明らかなように、本発明によって、低いコストでデータを配信することができる。
【図面の簡単な説明】
【図１】本発明の実施の形態にかかるデータ配信システムの構成図である。
【図２】（ａ）は、図１のデータ配信システムを構成する車載用装置の表示装置が表示する地域選択画面を示す図であり、（ｂ）は、表示装置が表示する地図画面を示す図であり、（ｃ）は、表示装置が表示するナビゲーション画面を示す図である。
【図３】（ａ）は、車載用装置の制御装置が記憶する座標−Ｃｈ対応表を示す図であり、（ｂ）は、制御装置が記憶する地域−Ｃｈ対応表を示す図である。
【図４】ナビゲーションモードに設定された車載用装置が行う動作を示すフローチャートである。
【図５】地図表示モードに設定された車載用装置が行う動作を示すフローチャートである。
【図６】車載用装置の表示装置が広告を表示した画面を示す図である。
【符号の説明】
１    データ通信サービス局
２    デジタル通信衛星
３    車載用装置
１１  データベース
１２  送信装置
３１  受信装置
３２  測位装置
３３  表示装置
３４  制御装置
【図１】
0004516714.tif 000002
【図２】
0004516714.tif 000003
【図３】
0004516714.tif 000004
【図４】
0004516714.tif 000005
【図５】
0004516714.tif 000006
【図６】
0004516714.tif 000007